(57)【要約】      （修正有）【課題】使用者各人の所望に最適なサウナ室内雰囲気を実現し、気分や体調等の心身の状態や使用目的に適応する事が可能なサウナ装置を提供する。【解決手段】室内２ａにおいて、少なくとも温熱機構を含む雰囲気形成手段を備えており、前記雰囲気形成手段は、制御手段によって動作するようプログラムされたプログラムモードにより動作を行って室内に雰囲気を形成するようにしたサウナ装置１ａであり、前記プログラムモードの少なくとも１以上のプログラムを任意に作成及び記憶するための任意プログラム作成記憶機能を設けた構成にする。【選択図】図１
2007222299.tif 000002
【特許請求の範囲】
【請求項１】
室内において、少なくとも温熱機構を含む雰囲気形成手段を備えており、前記雰囲気形成手段は、制御手段によって動作するようプログラムされたプログラムモードにより動作を行って室内に雰囲気を形成するようにしたサウナ装置であり、前記プログラムモードの少なくとも１以上のプログラムを任意に作成及び記憶するための任意プログラム作成記憶機能を設けた事を特徴とするサウナ装置。
【請求項２】
前記プログラムモードが複数設けられ、予め動作がプログラムされた少なくとも１以上のプログラムモードと、前記任意プログラム作成記憶機能により作成及び記憶された少なくとも１以上のプログラムモードの一つを選択するためのプログラム選択手段を設け、前記プログラム選択手段により選択されたプログラムモードにより前記雰囲気形成手段は動作を行う事を特徴とする請求項１記載のサウナ装置。
【請求項３】
前記雰囲気形成手段は前記温熱機構の他に、酸素発生機構、ミスト発生機構、芳香発生機構、色光発生機構のいずれかを含む事を特徴とする請求項１及び請求項２記載のサウナ装置。
【請求項４】
前記プログラムモードは、動作内容及び動作時間からなる一つのステージ、または複数の前記ステージの組み合わせから構成されている事を特徴とする請求項１乃至請求項３記載のサウナ装置。
【請求項５】
前記プログラムモードは、上書きしてプログラムを書き替える事が可能である事を特徴とする請求項１乃至請求項４記載のサウナ装置。
【請求項６】
前記プログラム選択手段または前記雰囲気形成手段の選択状態または動作状態を表示部により表示する事を特徴とする請求項１乃至請求項５記載のサウナ装置。
【請求項７】
前記プログラムモードの前記任意プログラム作成記憶機能による作成または上書き時に、前記プログラムモードの少なくとも動作内容を記入選択するためのプログラム作成表を備えた事を特徴とする請求項１乃至請求項６記載のサウナ装置。
【発明の詳細な説明】
【技術分野】
【０００１】
本発明は、血行を促進させて発汗作用を促すサウナ浴のためのサウナ装置に関するものである。
【背景技術】
【０００２】
従来から、使用者に対して温熱効果による血行促進作用や、サウナ効果による発汗作用をもたらすサウナ装置があるが、最近では、サウナ浴室内の温度等を電子回路からなる制御手段により電子制御して、より一層快適なサウナ浴を得る事ができるようにしたものも存在している。
【０００３】
例えば、図１３及び図１４に示したものは、室内の温度等を制御できるようにしたサウナ装置を示したものであるが、該サウナ装置１は、室内温度設定手段と、室内温度検出手段と、室内を加熱する加熱手段と、室内温度設定手段で設定された温度と室内温度検出手段で検出される室内温度とに基づいて加熱手段を制御して室内温度設定手段で設定された温度より低い準備温度に室内温度を維持し且つ入浴開始信号にて設定温度まで室内温度を上げる制御手段とを備えていることを特徴とするものであり、家庭に通常設けられる浴室において使用され、放熱部材１５により加温された空気が、吹き出し口１１から送風機１３により吹き出され、浴室の温度を高めてサウナ浴が可能となるよう構成しており、操作パネル２に設けられた温度センサー１９と制御手段により、前記送風機１３の動作を制御することで室内温度を調節するようにしている。
【０００４】
また、前記操作パネル２には、他にも温度調節つまみ２３、マニュアルスイッチ２４、コース選択スイッチ２１等が設けられており、マニュアルスイッチ２４の操作時は、温度調節つまみ２３により使用者の好みに応じた温度調節が適宜可能となっている。
【０００５】
更に、前記サウナ装置１は、快適なサウナ浴を得させるために温度が経時的に変化するよう予めプログラムとして設定された各種動作コースが設けられており、前記コース選択スイッチ２１により各動作コースを選択し、選択された動作コースのプログラムにしたがって温度調節が経時的に自動制御されるようにしている。
【特許文献１】特開平６−２６１９２７号公報（第８頁、図２）
【発明の開示】
【発明が解決しようとする課題】
【０００６】
ところで、前述のようなサウナ装置は、あくまでも、予め設定された各動作コースの範囲でしか選択する事ができず、使用者各人の所望に最も適うサウナ室内雰囲気を実現するには限りがあった。
【０００７】
また、単に発汗作用を促進させる事を目的にするのみならず、気分や体調等の心身の状態や使用目的にも適応する事も需要となっており、例えば、気分をリフレッシュさせる事を目的とするのか、或いは専ら健康に寄与する事を重視しているのかによって、その適応も異なってくるが、そのような極めの細かい適応が可能なサウナ装置の実現化が課題となっていた。
【０００８】
そこで、本発明は、上記問題点を解消する為に成されたものであり、使用者各人の所望に最適なサウナ室内雰囲気を実現し、気分や体調等の心身の状態や使用目的にも可及的に適応する事が可能なサウナ装置を提供する事を目的とするものである。
【課題を解決するための手段】
【０００９】
すなわち、本発明のサウナ装置は、室内において、少なくとも温熱機構を含む雰囲気形成手段を備えており、前記雰囲気形成手段は、制御手段によって動作するようプログラムされたプログラムモードにより動作を行って室内に雰囲気を形成するようにしたサウナ装置であり、前記プログラムモードの少なくとも１以上のプログラムを任意に作成及び記憶するための任意プログラム作成記憶機能を設けている。
【００１０】
また、本発明のサウナ装置は、前記プログラムモードが複数設けられ、予め動作がプログラムされた少なくとも１以上のプログラムモードと、前記任意プログラム作成記憶機能により作成及び記憶された少なくとも１以上のプログラムモードの一つを選択するためのプログラム選択手段を設け、前記プログラム選択手段により選択されたプログラムモードにより前記雰囲気形成手段は動作を行う事を特徴としている。
【００１１】
また、本発明のサウナ装置は、前記雰囲気形成手段は前記温熱機構の他に、酸素発生機構、ミスト発生機構、芳香発生機構、色光発生機構のいずれかを含む事を特徴としている。
【００１２】
更に、本発明のサウナ装置は、前記プログラムモードは、動作内容及び動作時間からなる一つのステージ、または複数の前記ステージの組み合わせから構成されている事を特徴としている。
【００１３】
また、本発明のサウナ装置は、前記プログラムモードは上書きしてプログラムを書き替える事が可能である事を特徴とするものである。
【００１４】
更に、本発明のサウナ装置は、前記プログラム選択手段または前記雰囲気形成手段の選択状態または動作状態を表示部により表示する事を特徴としている。
【００１５】
更にまた、本発明のサウナ装置は、前記プログラムモードの前記任意プログラム作成記憶機能による作成または上書き時に、前記プログラムモードの少なくとも動作内容を記入選択するためのプログラム作成表を備えた事を特徴とするものである。
【発明の効果】
【００１６】
よって、本発明のサウナ装置は、前記雰囲気形成手段は、制御手段によって動作するようプログラムされたプログラムモードにより動作を行って室内に雰囲気を形成するようにしたサウナ装置であり、前記プログラムモードの少なくとも１以上のプログラムを任意に作成及び記憶するための任意プログラム作成記憶機能を設けている為、使用者各人の所望に最も適う仕方でサウナ室内雰囲気を実現する事ができるし、任意に作成したプログラムを記憶する事ができるので、何度も再現する事が可能となる。
【００１７】
また、本発明のサウナ装置は、前記プログラムモードが複数設けられ、予め動作がプログラムされた少なくとも１以上のプログラムモードと、前記任意プログラム作成記憶機能により作成及び記憶された少なくとも１以上のプログラムモードの一つを選択するためのプログラム選択手段を設け、前記プログラム選択手段により選択されたプログラムモードにより前記雰囲気形成手段は動作を行う事を特徴としている為、さらにプログラムモードの選択肢が広がり、多種多様なサウナ浴を楽しむことができる。
【００１８】
また、本発明のサウナ装置は、前記雰囲気形成手段は前記温熱機構の他に、酸素発生機構、ミスト発生機構、芳香発生機構、色光発生機構のいずれかを含む事を特徴としている為、単に温熱機構による発汗作用を促進させる事を目的にするのみならず、気分や体調等の心身の状態や使用目的にも適応する事が可能となる。
【００１９】
更に、本発明のサウナ装置は、前記プログラムモードは、動作内容及び動作時間からなる一つのステージ、または複数の前記ステージの組み合わせから構成されている事を特徴としている為、一つの動作内容を選択してからそれに対する動作時間を選択する事ができるので設定し易い。
【００２０】
また、本発明のサウナ装置は、前記プログラムモードは、上書きしてプログラムを書き替える事が可能である事を特徴とするものである為、使用者の状態や好みの変化に対応して、常に最適なサウナ室内雰囲気を作り出す事ができる。
【００２１】
更に、本発明のサウナ装置は、前記プログラム選択手段または前記雰囲気形成手段の選択状態または動作状態を表示部により表示する事を特徴としている為、前記プログラムモードの前記任意プログラム作成記憶機能による作成や上書き時に、設定し易く、雰囲気形成手段の動作時においては、動作の視認が確実に行える。
【００２２】
更にまた、本発明のサウナ装置は、前記プログラムモードの前記任意プログラム作成記憶機能による作成または上書き時に、前記プログラムモードの少なくとも動作内容を記入選択するためのプログラム作成表を備えた事を特徴とするものである為、このように、前記プログラムシート７ａを作成すれば、プログラムモードの作成、或いは上書き作業をよりスムーズに行う事ができるし、また作成したプログラム作成表を保存して、適宜プログラムを再現する事ができる。
【発明を実施するための最良の形態】
【００２３】
以下に、本発明のサウナ装置を、図面に示す一実施形態に基づきこれを詳細に説明する。
図１は本発明のサウナ装置の一実施形態を示す斜視説明図であり、図２は本発明のサウナ装置である収納部及び収納開閉扉の一実施形態を示す平面説明図、図３は本発明のサウナ装置である室内操作部の一実施形態を示す正面図であり、図４乃至図６は本発明のサウナ装置である室外操作部の一実施形態を示す説明図であり、図７は本発明のサウナ装置におけるプログラムモードの一実施形態を示す表図である。また図８乃至図１１は本発明のサウナ装置における操作の一実施形態を示す流れ図であり、図１２は本発明のサウナ装置に使用するプログラム作成表の一実施形態を示す説明図であり、図１３及び図１４は従来技術を示す参考図である。
【００２４】
すなわち、本発明のサウナ装置１ａは、図1の実施形態で示したように、室内２ａに使用者が入室できるボックス型であり、また、家屋室内の適所に移動自在に設置したり、または家屋壁面内部にビルトインして据え付けたりするなどして使用する事ができるものである。
【００２５】
前記サウナ装置１ａの前面中央には、前記室内２ａへ使用者が入室するための入室扉１１ａを開閉自在に蝶設している。該入室扉１１ａには、図示しないが室内２ａに入室した使用者の状態を室外から他者が確認できるよう、適所に透明なガラス素材や樹脂素材で形成される窓を嵌着してもよい。
【００２６】
前記室内２ａの右側下部には、使用者が着座するための着座部１２ａを設けている。使用者が該着座部１２ａに着座すると、使用者の左側面が前記サウナ装置１ａの前面に向かう態様になる。すなわち図１に示すように、着座部１２ａに着座した使用者にとって正面には正面壁１３ａ、背面には背面壁１４ａ、左右側面には夫々側面壁１５ａ・１５ａが位置するよう構成している。
【００２７】
前記正面壁１３ａ、前記背面壁１４ａ、前記側面壁１５ａ・１５ａ、そして使用者の足裏が接する床面１６ａには、雰囲気形成手段である温熱機構、すなわち面状ヒータ２１ａを夫々配設している。
【００２８】
前記面状ヒータ２１ａ（温熱機構）は、例えば使用者の身体に遠赤外線を照射し得るものであってもよい。すなわち、電気不良導体の基盤に炭素粉末とポリエチレン等の結合材を混合したものを面材に塗布して、所要の電気抵抗を有する抵抗膜を形成するように製造されたものを採用する事ができる。
【００２９】
このように前記室内２ａの各面に前記面状ヒータ２１ａ（温熱機構）を配設する事により、使用者の全身に対して隈無く熱照射を行う事ができる。
【００３０】
尚、前記面状ヒータ２１ａは遠赤外線ヒータに限定されず、使用者の身体に熱照射を行う事ができれば、どんな種類のヒータであってもよい。
【００３１】
前記各面状ヒータ２１ａは、夫々個別に作動するよう構成し、照射温度調整も各面状ヒータ２１ａ毎に行える。照射温度によっては、使用者の身体を温め、血行を良好にする温熱効果や、発汗作用を促すサウナ効果をもたらす事ができる。
【００３２】
前記サウナ装置１ａの上部には、収納部１８ａを設けており、該収納部１８ａに、各種雰囲気形成手段である酸素発生機構２２ａ、ミスト発生機構２３ａ、芳香発生機構２４ａ、それに記憶されたプログラムに基づいて電子制御を行うための電子回路を構成した制御手段６ａの各構成体を設置するようにしている。
【００３３】
前記酸素発生機構２２ａは、天面１７ａから下方へ突設するノズル２２１ａを介して前記室内２ａに空気よりも酸素濃度の高い濃縮酸素を供給するものであり、濃縮酸素を人体に取り入れて人体血液中の酸素濃度を高める事により、疲労の元になる乳酸の分解を促進したり、血行を良好にしたりする等のリフレッシュ効果をもたらす事ができる。さらには、前記面状ヒータ２１ａの熱照射による発汗時のリフレッシュ作用を与えるものとなる。
【００３４】
また、前記ミスト発生機構２３ａは、水を霧状化してミストを発生させ、前記天面１７ａに配設したミスト噴出口２３１ａから室内２ａに噴出させるものである。これにより、前記室内２ａにおいて適度な湿度を保てるだけでなく、例えば運動後または前記面状ヒータ２１ａによる高体温になった身体の温度を効果的に下げたりする事ができる。また、前記面状ヒータ２１ａの熱照射と共に同時期に併用するならば、該面状ヒータ２１ａに温められたミストが使用者の全身を包み込んで温熱効果やサウナ効果を効果的にもたらす事ができる。加えて、肌に潤いを与えて美容効果も同時に期待できる。
【００３５】
前記芳香発生機構２４ａは、芳香剤２４１ａより発生する芳香気体を、前記天面１７ａに配設するファン２４２ａにより、前記室内２ａへ送気するよう構成している。該芳香発生機構２４ａは芳香療法（アロマテラピー）として、鎮静作用、興奮作用、薬理作用などをもたらす。
【００３６】
前記室内２ａの前記天面１７ａにおいて、前記着座部１２ａに座った使用者の頭上付近に位置するよう、換気ファン２５ａが設けられている。これは、室内２ａにこもった空気を室外に排出して、室内２ａの雰囲気をクリアにするためのものである。
【００３７】
また、前記室内２ａに雰囲気形成手段である色光発生機構、すなわちヒーリングライト２６ａを備えている。
【００３８】
前記ヒーリングライト２６ａ（色光発生機構）は、赤（Ｒ）・緑（Ｇ）・青（Ｂ）の色を発光するようにしており、前記天面１７ａと前記背面壁１４ａとが交差する付近において取り付けている。
【００３９】
前記ヒーリングライト２６ａ（色光発生機構）は、高輝度カラーＬＥＤによるものであり、所望する色が発光する事により、前記室内２ａの前記正面壁１３ａ、前記背面壁１４ａ、前記側面壁１５ａ、前記床面１６ａ、前記天面１７ａの夫々に反射して、室内２ａ全体が該色で包まれたように使用者は視認する。このように使用者の視覚に特定の色光が影響を与え、例えば、赤色の色光であれば気持ちを活性化させたり、逆に青色の色光であれば鎮静化させたりする作用をもたらし、また緑色の色光は爽快さや新鮮さを感じさせて心身共にリフレッシュするよう働きかける。尚、該ヒーリングライト２６ａとは別に、天面１７ａの中央には白色に近い光を発する複数の高輝度ＬＥＤからなる室内灯２７ａが設けられている。
【００４０】
図２は、前記収納部１８ａに設置されている前記ミスト発生機構２３ａと芳香発生機構２４ａ及び主電源の入切を行う主電源入切部５ａへ夫々通じる各収納開閉扉１８１ａを設けたものを示している。
【００４１】
それら前記収納開閉扉１８１ａは、前記入室扉１１ａの内側に設けられているため、まず入室扉１１ａを開けてからでなければ、該収納開閉扉１８１ａを開閉する事はできない。よって、不使用時に不意に主電源入切部５ａが操作されないようにして安全性を高めている。また、サウナ装置１ａの前面に各収納開閉扉１８１ａが備えられているので、使用者はサウナ装置１ａの前面から、芳香剤２４１ａの補充や入れ替え、またミスト発生機構２３ａに必要な水の供給を行う事ができて便利である。
【００４２】
尚、図２に示すように、前記主電源入切部５ａの右側に、複数種の芳香剤２４１ａ・２４１ａ・・を設置しており、使用者の好みに応じた芳香を選択するようにしている。選択された芳香剤２４１ａを記主電源入切部５ａの左側に位置する前記収納開閉扉１８１ａに設置して、該収納開閉扉１８１ａを閉めて、前記ファン２４２ａにより前記室内２ａへ送気するようにしている。
【００４３】
図１に示すように、前記サウナ装置１ａの前面左側適所には、室外操作部３ａを、また前記正面壁１３ａの中央付近においては、室内操作部４ａを夫々配設しており、これら室外操作部３ａ及び室内操作部４ａから出される指示による前記各機構等の作動を前記制御手段６ａにより制御するようにしている。
【００４４】
前記室外操作部３ａには図４に示すように、予め動作がプログラムされたプログラムモード設定部３１ａ、表示部である時間表示部３２１ａを備えたタイマー設定部３２ａ、また、使用者が所望に応じてマニュアル設定するためのマニュアルモード設定部３３ａを夫々備え、他に、設定をクリアにするクリアボタン３４ａ、前記面状ヒータ２１ａによる予熱を開始させる準備予熱ボタン３５ａ、前記室内２ａの空気を換気始動させる換気ボタン３６ａがある。さらに、前記酸素発生機構２２ａに備えるフィルター（図示せず）交換を促したり（例えば５００時間毎に交換時期を設定できる）、前記ミスト発生機構２３ａに供給する水の不足を知らせるための警告灯３７ａや、主電源入切部５ａの入切を示す主電源灯３８ａが設けられている。該室外操作部３ａの内部基板には、音声を発する音発生部３９ａも備えている。
【００４５】
図３に示す室内操作部４ａは、サウナ装置１ａの動作の残り時間及び動作終了を示す表示部４１ａ、前記室内灯２７ａの点灯消灯を手動選択するための室内灯ボタン４２ａ、前記室内２ａの温度を感知する温度センサ４３ａを夫々設けてなる。該室内操作部４ａの内部基板には、音声を発する音発生部４４ａも備えている。
【００４６】
前記表示部４１ａは、デジタル式の数値で表示するようにしており、また残り時間が無くなると、「終了しました」の文字が現れるようにしている。
【００４７】
図４に示す前記室外操作部３ａにおける前記タイマー設定部３２ａにおいては、前記プログラムモード設定部３１ａ及び前記マニュアルモード設定部３３ａで設定された動作の時間設定を行うようにしている。該タイマー設定部３２ａには、デジタル表示式の前記時間表示部３２１ａ、時間調節ボタン３２２ａ及び設定ボタン３２３ａを設けており、該時間調節ボタン３２２ａは数値上昇ボタン及び数値下降ボタンにより構成している。
【００４８】
使用者は前記時間表示部３２１ａを確認しながら、前記時間調節ボタン３２２ａを操作して使用者の所望する時間値になるよう調節する。尚、時間調節ボタン３２２ａの数値上昇ボタンと数値下降ボタンは長押しすると、数値の変化が速くなるようにしている。また、時間表示部３２１ａにおける動作時間表示の単位は分とする。さらに、安全のためサウナ装置１ａの動作時間設定の上限を６０分としてもよい。
【００４９】
前記タイマー設定部３２ａの前記時間表示部３２１ａと前記室内操作部４ａの前記表示部４１ａとは、サウナ装置１ａの動作残り時間の表示において連動するようにしている。前記サウナ装置１ａの動作開始後は、前記タイマー設定部３２ａにより使用者が設定した動作時間から１を引いた数値が、残り時間として時間表示部３２１ａと表示部４１ａとに表示され、経時と共に減少する。
【００５０】
前記室外操作部３ａの前記マニュアルモード設定部３３ａに関して、図４に示すように「エアロマスター」モード、「ウォームモード」、「サウナモード」というように夫々マニュアルモード名が名付けられ、「エアロマスター」モードでは、前記酸素発生機構２２ａ、前記ミスト発生機構２３ａ、前記ヒーリングライト２６ａ、前記芳香発生機構２４ａの夫々の動作を、マニュアル設定する事ができる。
【００５１】
すなわち、前記マニュアルモード設定部３３ａに含まれる酸素ボタン３３１ａを操作する事により、酸素発生機構２２ａから発生する酸素を供給するか否かを選択するようにし、その選択状態を表示部である酸素選択表示灯３３１ｂにより示す。
【００５２】
また、ミストボタン３３２ａを操作する事により、前記ミスト発生機構２３ａから発生するミスト量を弱く供給するか、或いは強くするか、または供給しないかのいずれかを順次選択できるようにし、その選択状態を表示部であるミスト選択表示灯３３２ｂにより示す。該ミスト発生機構２３ａの動作中は、前記換気ファン２５ａも同時に動作するように設定している。但し、その場合は前記室外操作部３ａの前記換気作動表示灯３６１ａは消灯状態となっている。
【００５３】
また、前記ヒーリングライト２６ａの色光を選択するために、色光選択ボタン３３３ａを備えており、該色光選択ボタン３３３ａを押す毎に、赤色（Ｒ）・緑色（Ｇ）・青色（Ｂ）・変色（Ｆ）の色光モード及び無点灯を順次切り替えて選択する事ができる。変色（Ｆ）の色光モードは、赤色（Ｒ）・緑色（Ｇ）・青色（Ｂ）の色光を順次またはランダムに、一定時間毎または不規則に自動変更するモードの事である。その選択状態を表示部である色光選択表示灯３３３ｂにより示す。
【００５４】
前記ヒーリングライト２６ａは、発照時において徐々に明るくなるようにしてもよい。例えば８秒かけて少しずつ明るくなるよう設定する事ができる。また、サウナ装置１ａの動作が終了した時点で、８秒かけて少しずつ暗くなり無点灯になるようにしてもよい。
【００５５】
また、前記マニュアルモードでのサウナ装置１ａの動作中においても、前記色光選択ボタン３３３ａを操作して色光の変更を受付けるようにし、その変更時においても例えば８秒かけて現時まで発照していた色光を少しずつ暗くしてゆき、次いで変更した色光が８秒かけて少しずつ明るくなるようにする事もできる。
【００５６】
前記マニュアルモード設定部３３ａにある芳香選択ボタン３３４ａは、これを操作する事により芳香発生機構２４ａから発生する芳香を供給するか否かを選択するようにしている。その選択状態を表示部である芳香選択表示灯３３４ｂにより示す。
【００５７】
また、前記マニュアルモード設定部３３ａの前記「ウォームモード」では、前記面状ヒータ２１ａからの熱照射によって、温熱効果を人体に付与する事ができる。
【００５８】
前記各面状ヒータ２１ａは、前述したように夫々個別に作動すると共に個別に温度調整が行えるように構成しており、ヒータ選択ボタン３３５ａにより、前記正面壁１３ａ、前記背面壁１４ａ、前記側面壁１５ａ、前記床面１６ａの各面壁に備えた面状ヒータ２１ａの作動を選択するようにしている。すなわち、該ヒータ選択ボタン３３５ａとして、「前面」、「側面」、「背面」、「床面」の各ボタンを設けて、該ボタンを押す事により選択する。
【００５９】
前記ヒータ選択ボタン３３５ａの各ボタンにより、前記各面状ヒータ２１ａの熱照射温度を個別に設定する事ができる。図面では「弱」、「中」、「強」の３段階の熱照射温度レベルを設け、ヒータ選択ボタン３３５ａの各ボタンを押す事により、順次「弱」、「中」、「強」の照射温度及び無照射を選択するようにしている。その選択状態を表示部であるヒータ選択表示灯３３５ｂにより示す。
【００６０】
尚、前記ヒータ選択ボタン３３５ａの「前面」ボタンによって操作される前記正面壁１３ａに備えた前記面状ヒータ２１ａは、前記照射温度の「弱」で３５％の通電とし、「中」において５５％の通電、「強」では６５％の通電となるよう設定する事ができる。
【００６１】
また、前記ヒータ選択ボタン３３５ａの「側面」ボタンによって操作される前記側面壁１５ａに備えた前記面状ヒータ２１ａは、前記照射温度の「弱」で３０％の通電とし、「中」において４５％の通電、「強」では６５％の通電となるよう設定する事ができる。
【００６２】
また、前記ヒータ選択ボタン３３５ａの「背面」ボタンによって操作される前記背面壁１４ａに備えた前記面状ヒータ２１ａは、前記照射温度の「弱」で２０％の通電とし、「中」において３５％の通電、「強」では５５％の通電となるよう設定する事ができる。
【００６３】
さらに、前記ヒータ選択ボタン３３５ａの「床面」ボタンによって操作される前記床面１６ａに備えた前記面状ヒータ２１ａは、前記照射温度の「弱」で２０％の通電とし、「中」において３５％の通電、「強」では４５％の通電となるよう設定する事ができる。
【００６４】
前記マニュアルモード設定部３３ａの前記「サウナモード」は、前記「ウォームモード」よりも前記面状ヒータ２１ａからの熱照射を高レベルに設定し、発汗作用を伴うサウナ効果を人体に付与するようにしている。そのため、前記面状ヒータ２１ａの全てを同時期に作動するように設定する。該「サウナモード」でも、「弱」、「中」、「強」の３段階の熱照射温度のレベルを設け、サウナ選択ボタン３３６ａを押す事により、順次「弱」、「中」、「強」の照射温度及び無照射を選択するようにしている。その選択状態を表示部であるサウナ選択表示灯３３６ｂにより示す。
【００６５】
前記「サウナモード」において、前記「弱」、「中」、「強」の３段階の熱照射温度は、前記室内操作部４ａに設けた前記温度センサ４３ａ及び前記制御手段６ａにより、ＰＩＤ制御を行う。例えば、「弱」の熱照射温度では４０℃、「中」では４５℃、「強」で５０℃を前記室内２ａにおいて保つよう制御する事ができる。尚、温度センサ４３ａのサンプリングタイムは５秒間として設定してしてもよい。
【００６６】
尚、前記「サウナモード」において、選択した熱照射温度に達しない状況では、前記サウナ選択表示灯３３６ｂを点滅させ、熱照射温度に達した時点で、該サウナ選択表示灯３３６ｂを点灯させるようにするならば、使用者が状況を把握し易くなる。
【００６７】
また、前記室内２ａの室温によっては、選択した熱照射温度に達する時間が異なるので、前記サウナ選択表示灯３３６ｂの点滅の時間を最大１５分とし、該時間経過後は点灯状態に変更してもよい。
【００６８】
前記タイマー設定部３２ａでの設定と、前記マニュアルモード設定部３３ａでの設定とを完了した後、前記サウナ選択ボタン３３６ａの下部に設けたマニュアルモード開始終了ボタン３３７ａを押す事により、サウナ装置１ａは使用者の設定したマニュアルモードでの作動を開始し、タイマー設定部３２ａで設定した設定時間が満ちると該作動は終了する。或いは、作動中にマニュアルモード開始終了ボタン３３７ａを押すと、作動は中止するようにしている。
【００６９】
但し、前記「ウォームモード」及び前記「サウナモード」は、前記マニュアルモード開始終了ボタン３３７ａを押さずとも、前記ヒータ選択ボタン３３５ａまたは前記サウナ選択ボタン３３６ａを操作した時点から、前記面状ヒータ２１ａの予熱を開始するように設定がなされている。
【００７０】
前記「ウォームモード」では、前記室内操作部４ａに設けた前記温度センサ４３ａにより、室内２ａの内部温度が感知され、例えば該温度が２８度以下の場合は、全ての前記面状ヒータ２１ａが最高レベルの通電量となり、室内２ａの内部温度が２８度になるまで該通電を行う。
【００７１】
前記「サウナモード」は、前記サウナ選択ボタン３３６ａで選択した照射温度になるまで、全ての前記面状ヒータ２１ａが最高レベルの通電量となる。
【００７２】
尚、このような前記「ウォームモード」または前記「サウナモード」の予熱制御に関しては、前記面状ヒータ２１ａの通電を前記制御手段６ａで行う方式としてＰＩＤ制御を採用している。
【００７３】
さらに、前記「ウォームモード」または前記「サウナモード」の予熱通電中は、前記予熱作動表示灯３５１ａが点滅するようにし、予熱が完了するか、または該点滅時間が１５分経過すると、予熱作動表示灯３５１ａが点灯状態になるようにしている。その時点で前記室外操作部３ａの前記音発生部３９ａや前記室内操作部４ａの前記音発生部４４ａから、予熱完了を伝える音声を発生させてもよい。
【００７４】
さらに、前記温度センサ４３ａにより前記室内２ａの内部温度が１００度以上に達していると感知される場合は異常であるので、前記音発生部３９ａや前記音発生部４４ａから、通知音・又は音声を１０秒間発音するようにすると共に、前記面状ヒータ２１ａの通電を遮断する。
【００７５】
前記マニュアルモード設定部３３ａにおけるマニュアルモードの操作流れ図として、図８に示す。
【００７６】
まず、前記主電源入切部５ａを入れる事により、前記室外操作部３ａの前記主電源灯３８ａが点灯し、「初期状態」となる。次いで、前記タイマー設定部３２ａにより動作時間を設定する。
【００７７】
次に、前記マニュアルモード設定部３３ａの「エアロマスター」モード、「ウォームモード」、「サウナモード」の各モードにおいて、所望する動作選択を行う。各モードは組み合わせて複合動作設定を行う事は可能であるが、「ウォームモード」と「サウナモード」は同時期に作動しないようにしている。
【００７８】
前記マニュアルモード設定部３３ａでの設定を全てクリアにする場合は、前記クリアボタン３４ａを押して、再度マニュアルモード設定部３３ａでの設定を行う事ができる。
【００７９】
前記マニュアルモード設定部３３ａでの設定完了後、前記マニュアルモード開始終了ボタン３３７ａを押すならば、該設定通りにサウナ装置１ａの動作を開始する事になる。尚、サウナ装置１ａの動作中において、前記タイマー設定部３２ａで設定された動作時間内であれば、マニュアルモード設定部３３ａでの再設定を受け付けるようにし、該設定に基づいてサウナ装置１ａは動作を変更する。
【００８０】
前記タイマー設定部３２ａにより設定した動作時間が満了した時点で、前記設定した動作は終了することになる。その終了と同時に、前記換気ファン２５ａが所定の時間、例えば１０分間作動して、前記室内２ａに滞留した空気を室外に排出するようにしている。換気中は前記室外操作部３ａの前記換気作動表示灯３６１ａが点灯する。
【００８１】
また、前記マニュアルモードの終了と共に、前記室内操作部４ａの前記表示部４１ａに「終了しました」の文字が表示されると共に、前記タイマー設定部３２ａの前記時間表示部３２１ａ及び室内操作部４ａの表示部４１ａの各残り時間は「０」を表示する。
【００８２】
尚、前記タイマー設定部３２ａにより設定した動作時間が満了しなくても、その途中で前記マニュアルモード開始終了ボタン３３７ａを押すと、該動作は終了する。また、前記「初期状態」に戻して再度、タイマー設定部３２ａから始める場合は、前記クリアボタン３４ａを押す。
【００８３】
前述したマニュアルモードの動作時間設定は、前記時間調節ボタン３２２ａの前記数値上昇ボタンと前記数値下降ボタンのいずれかを押して時間調節操作を開始した時点で、前記時間表示部３２１ａに「３０」の数値が表示されるようにし、その後該数値上昇ボタンと数値下降ボタンにより数値を調節するようにしてもよい。
【００８４】
次に、プログラムモードに関して以下に説明する。前記室外操作部３ａの前記プログラムモード設定部３１ａにおいては、「リラックス」モード、「プレスレンダー」モード、「アフターマインド」モードというように夫々プログラムモード名が名付けられると共に、予め夫々特有の動作内容及び動作時間がプログラムされたプログラムモードを、プログラム選択手段であるプログラム選択ボタン３１１ａにより選択できるようにしている。その選択状態を表示部であるモード選択表示灯３１１ｂにより示す。
【００８５】
前記「リラックス」モード、「プレスレンダー」モード、「アフターマインド」モードの各プログラムモードは、サウナ装置１ａの動作内容及び動作時間からなるプログラムステージ毎に区切られており、一つのステージまたは複数の各ステージの組み合わせによって構成される。
【００８６】
前記各ステージの内容には、前記「エアロマスター」モードに含まれる前記酸素発生機構２２ａ、前記ミスト発生機構２３ａ、前記芳香発生機構２４ａの動作や、前記「ウォームモード」、前記「サウナモード」の動作を含める事ができる。例えば、前記「プレスレンダー」モードでは、該プログラムモードにおける最初のステージがサウナモードとなっており、その後前述した他の動作が設定されている別のステージが続くことになる。
【００８７】
前記各ステージの進行中において動作状態を視覚的に表示するために、該動作に該当するいずれかの前記室外操作部３ａにある前記酸素選択表示灯３３１ｂ、前記ミスト選択表示灯３３２ｂ、前記色光選択表示灯３３３ｂ、前記芳香選択表示灯３３４ｂ、前記ヒータ選択表示灯３３５ｂ、前記サウナ選択表示灯３３６ｂを点灯させるようにしている。
【００８８】
前記「リラックス」モード、「プレスレンダー」モード、「アフターマインド」モードの各プログラムモードは、上書きして各プログラムを書き替える事ができる。その上書き手順を図９に示す。
【００８９】
最初に、上書きを所望する前記プログラムモードを前記プログラム選択ボタン３１１ａにより選択し、次いで前記タイマー設定部３２ａの前記設定ボタン３２３ａを長押しすると、選択したプログラムモードの前記モード選択表示灯３１１ｂが点滅して上書きモードに入る。
【００９０】
まず、第一ステージの動作内容及び動作時間を設定する。前記マニュアルモード設定部３３ａでの各ボタンを操作して所望する動作内容を選択する。その後、前記設定ボタン３２３ａを押してその設定を確定する。それから第一ステージの時間設定を前記タイマー設定部３２ａにおいて行い、再度設定ボタン３２３ａを押す事により第一ステージの上書きを終える。
【００９１】
前記第一ステージの上書きの後、すぐに第二ステージの上書きに入り、第一ステージの上書きと同様、動作内容と動作時間を設定する。このように順次各ステージの上書きを行っていく。プログラムモードの上書きを終了する場合は、前記設定ボタン３２３ａを長押しする。この時、点滅していた前記モード選択表示灯３１１ｂは点灯状態となる。
【００９２】
前記各ステージを組み合わせて構成する各プログラムモードにおいて、動作時間の上限（例えば６０分）を設ける場合は、該上限の動作時間内で各ステージの動作内容及び動作時間を変更させる必要がある。
【００９３】
尚、各ステージの設定における該マニュアルモード設定部３３ａでの各ボタンの操作が始まる前は、前記酸素選択表示灯３３１ｂ、前記ミスト選択表示灯３３２ｂ、前記色光選択表示灯３３３ｂ、前記芳香選択表示灯３３４ｂ、前記ヒータ選択表示灯３３５ｂ、前記サウナ選択表示灯３３６ｂは、いずれも無点灯にし、前記タイマー設定部３２ａの前記時間表示部３２１ａは、「０」の数値を表示するようにしている。
【００９４】
また、前述とは異なってステージ毎の設定に先立ち、予め設定されている該ステージの動作内容が、前記酸素選択表示灯３３１ｂ、前記ミスト選択表示灯３３２ｂ、前記色光選択表示灯３３３ｂ、前記芳香選択表示灯３３４ｂ、前記ヒータ選択表示灯３３５ｂ、前記サウナ選択表示灯３３６ｂのいずれかにより表示されると共に、予め設定されている該ステージの動作時間が前記時間表示部３２１ａに示されるようにし、それに基づいて使用者が上書き変更するようにしてもよい。
【００９５】
例えば、前記「リラックス」モードの第一ステージの動作内容及び動作時間の例として図５において示すが、前記酸素選択表示灯３３１ｂ、青（Ｂ）の前記色光選択表示灯３３３ｂ、前記芳香選択表示灯３３４ｂ、「床面」−「弱」の前記ヒータ選択表示灯３３５ｂが夫々点灯して第一ステージの動作内容を表示すると共に、前記タイマー設定部３２ａの前記時間表示部３２１ａには、「１０」の数値を表示するよう設定がなされている。
【００９６】
前記「リラックス」モードの第一ステージ動作内容の変更を図６のように行う場合は、青（Ｂ）の色光を選択表示していた色光選択表示灯３３３ｂが、緑（Ｇ）の色光を選択表示選択表示されるよう前記色光選択ボタン３３３ａを操作し、前記芳香選択表示灯３３４ｂが無点灯になるよう前記芳香選択ボタン３３４ａを押して選択する。その後、前記設定ボタン３２３ａを押してその設定を確定する。
【００９７】
次いで、前記タイマー設定部３２ａにおいて時間設定を行う。図６では、前記時間表示部３２１ａが「１５」の数値表示となるよう前記時間調節ボタン３２２ａにより変更している。それから再度前記設定ボタン３２３ａを押す事により第一ステージの上書きを終える。前記第一ステージの上書きの後、第二ステージの上書きに入り、第一ステージの上書きと同様、予め設定されている該第二ステージの動作内容及び動作時間が表示され、それに基づいて使用者は上書き変更する。
【００９８】
尚、各ステージのはじめに表示される予め設定されたステージの動作内容及び動作時間を変更しない場合は、ただ設定ボタン３２３ａを押して次のステージにスキップさせる。
【００９９】
前記「リラックス」モードの他に、前記「プレスレンダー」モード、「アフターマインド」モードも前述と同じようにして、書き替えを可能としている。
また、各プログラムモードの書き替え作業のために、図１２に示すようなプログラム作成表であるプログラムシート７ａを活用する事ができる。
【０１００】
前記プログラムシート７ａは、前記プログラムモード毎に一枚ずつ使用し、各ステージ毎にサウナ装置１ａの所望する動作内容及び動作時間に該当するプログラムシート７ａに設けた升目７１ａに記入するか、塗りつぶすかして選択し作成する
【０１０１】
このように、前記プログラムシート７ａを作成すれば、前記室外操作部３ａにおけるプログラムモードの書き替え作業をよりスムーズに行う事ができるし、また作成したプログラムシート７ａを保存して、適宜使用する事ができる。
【０１０２】
尚、書き替えがなされたプログラムモードを初期化（工場出荷時の状態）するために、例えば「床面」の前記ヒータ選択ボタン３３５ａと前記芳香選択ボタン３３４ａとを同時に長押して、初期化設定を行うようにしてもよい。
【０１０３】
前記プログラムモード設定部３１ａには、使用者が所望するプログラムを夫々任意に作成して記憶させるようにする任意プログラム作成記憶機能を備えており、３パターンの作成プログラムモードを記憶する事ができるようにしている。そのため、前記プログラムモード設定部３１ａ上には該３パターンとして「Ａ」、「Ｂ」、「Ｃ」の各表示と、該作成プログラムモードの選択状態を示す表示部であるモード選択表示灯３１１ｂを夫々設けている。それらの「Ａ」、「Ｂ」、「Ｃ」の各作成プログラムモードは、前記プログラム選択ボタン３１１ａにより選択し、前記プログラムモード開始終了ボタン３１２ａにより動作を開始する。
【０１０４】
前記作成プログラムモードは、前記「リラックス」モード、「プレスレンダー」モード、「アフターマインド」モードと同様、各ステージの組み合わせによって構成している。該各ステージは、夫々サウナ装置１ａの動作内容及び動作時間からなる。
【０１０５】
前記「Ａ」、「Ｂ」、「Ｃ」の各作成プログラムモードにおける作成方法について、まず前記プログラムモード設定部３１ａで、前記「Ａ」、「Ｂ」、「Ｃ」の各作成プログラムモードのうち一つを選択する。選択された該作成プログラムモードは、モード選択表示灯３１１ｂにより点灯する。
【０１０６】
次に、前記タイマー設定部３２ａの前記設定ボタン３２３ａを長押しすると、前記モード選択表示灯３１１ｂの点灯が点滅に変わり作成モードに入る。
【０１０７】
例えば、図７に示すような各ステージ毎における動作内容及び動作時間になるようプログラムを作成する場合、まず、第一ステージとして前記マニュアルモード設定部３３ａの前記酸素ボタン３３１ａで前記酸素選択表示灯３３１ｂが点灯するよう選択し、前記色光選択ボタン３３３ａで青（Ｂ）の色光選択表示灯３３３ｂが点灯するよう選択すると共に、前記芳香選択ボタン３３４ａで前記芳香選択表示灯３３４ｂが点灯するようにする。その後、前記タイマー設定部３２ａの前記時間表示部３２１ａに動作時間として「５」の数値が表示されるように前記時間調節ボタン３２２ａを操作する。続いて、設定ボタン３２３ａを押する事により第一ステージの設定を完了する。
【０１０８】
次に、第二ステージの作成に入り、前記酸素選択表示灯３３１ｂの点灯を継続させて、前記ミストボタン３３２ａで「強」の前記ミスト選択表示灯３３２ｂが点灯するよう選択し、さらに前記色光選択ボタン３３３ａで赤（Ｒ）の色光選択表示灯３３３ｂが点灯するよう選択すると共に、前記色光選択ボタン３３３ａにより青（Ｂ）の色光選択表示灯３３３ｂの点灯が無点灯となるよう操作し、前記芳香選択ボタン３３４ａで前記芳香選択表示灯３３４ｂも無点灯するよう選択する。さらに、前記サウナ選択ボタン３３６ａで「強」のサウナ選択表示灯３３６ｂが点灯するようにする。その後、前記タイマー設定部３２ａの前記時間表示部３２１ａに動作時間として「１０」の数値が表示されるように前記時間調節ボタン３２２ａを操作する。その後、設定ボタン３２３ａを押して第二ステージの設定を完了する。
【０１０９】
第二ステージの設定の後、第三ステージは、前記酸素選択表示灯３３１ｂ及び「強」の前記ミスト選択表示灯３３２ｂの点灯を継続させ、前記色光選択ボタン３３３ａで赤（Ｒ）の色光選択表示灯３３３ｂが緑（Ｇ）を選択するようにし、前記芳香選択ボタン３３４ａで前記芳香選択表示灯３３４ｂが点灯するよう選択する。また、前記サウナ選択ボタン３３６ａで「強」のサウナ選択表示灯３３６ｂの点灯が無点灯になるよう選択する。その後、前記タイマー設定部３２ａの前記時間表示部３２１ａに動作時間として「５」の数値が表示されるように前記時間調節ボタン３２２ａを操作する。その後、設定ボタン３２３ａを押して第三ステージの設定を完了する。
【０１１０】
続いて、第四、第五というように順次各ステージの動作内容及び動作時間を設定していく。仮に前述したようにサウナ装置１ａの動作時間の上限を６０分としているならば、該設定は該上限時間の範囲内とし、それを超過すると設定を受け付けないようにすればよい。
【０１１１】
尚、前記任意プログラム作成記憶機能は、言うまでもなく何度も上書きしてプログラムを書き替える事ができる。
【０１１２】
更に、前述した任意プログラム作成記憶機能により、プログラムモードを記憶する作業のために、図１２に示すようなプログラムシート７ａを前述した同じ方法で活用する事ができる。
【０１１３】
図１０に示すのは、前記各プログラムモードの動作内容を使用者が確認する手順である。まず、前記プログラム選択ボタン３１１ａを押してプログラムモードを選択する。次いで前記プログラムモード開始終了ボタン３１２ａを長押しすると、最初に第一ステージの動作内容が、前記酸素選択表示灯３３１ｂ、前記ミスト選択表示灯３３２ｂ、前記色光選択表示灯３３３ｂ、前記芳香選択表示灯３３４ｂ、前記ヒータ選択表示灯３３５ｂ、前記サウナ選択表示灯３３６ｂにより表示されると同時に、該第一ステージの動作時間が時間表示部３２１ａに示される。
【０１１４】
次いで、一定の時間（例えば５秒）毎に各ステージの動作内容及び動作時間が順次表示されてゆき、最終ステージの表示に至る。その後、前記初期状態に戻る。
【０１１５】
前記プログラムモード設定部３１ａにおけるプログラムモードの操作流れ図として、図１１に示す。まず、前記主電源入切部５ａを入れる事により、前記室外操作部３ａの前記主電源灯３８ａが点灯し、「初期状態」となる。
【０１１６】
次に、前記プログラムモード設定部３１ａの「リラックス」モード、「プレスレンダー」モード、「アフターマインド」モードの各プログラムモード、または前記任意プログラム作成記憶機能に記憶させた「Ａ」、「Ｂ」、「Ｃ」の３パターンのプログラムモードのいずれかを、前記プログラム選択ボタン３１１ａにより選択する。尚、前記プログラム選択ボタン３１１ａによって選択されたプログラムモードの初期動作が「サウナモード」である場合は、該選択時点から、前述したように前記面状ヒータ２１ａの予熱を開始する。
【０１１７】
前記プログラムモード設定部３１ａでの設定を全てクリアにする場合は、前記クリアボタン３４ａを押して、再度プログラムモード設定部３１ａでの設定を行う事ができる。
【０１１８】
前記プログラムモード設定部３１ａでの設定完了後、前記プログラムモード開始終了ボタン３１２ａを押すならば、該設定通りに作動を開始する事になる。尚、該作動中においてもプログラムモード設定部３１ａでの再設定を受け付けるようにしている。
【０１１９】
前記各プログラムモードでの予め設定されている動作時間が満了した時点で、該動作は終了することになる。その終了と同時に、前記換気ファン２５ａが所定の時間、例えば１０分間作動して、前記室内２ａに滞留した空気を室外に排出するようにしている。換気中は前記室外操作部３ａの換気作動表示灯３６１ａが点灯する。
【０１２０】
また、前記マニュアルモードの終了と共に、前記室内操作部４ａの前記表示部４１ａに「終了しました」の文字が表示されると共に、前記タイマー設定部３２ａの前記時間表示部３２１ａ及び室内操作部４ａの表示部４１ａの各残り時間は「０」を表示する。
【０１２１】
尚、前記タイマー設定部３２ａにより設定した動作時間が満了しなくても、その途中で前記プログラムモード開始終了ボタン３１２ａを押すと、該動作は終了する。また、前記「初期状態」に再度戻す場合は、前記クリアボタン３４ａを押す。
【０１２２】
前述したマニュアルモードまたはプログラムモードでの作動時間外において、サウナ装置１ａが前記初期状態の際に前記警告灯３７ａが点灯している場合は、前記室外操作部３ａの前記プログラムモード開始終了ボタン３１２ａ及び前記マニュアルモード開始終了ボタン３３７ａを操作しても、該作動を開始しないようにしている。
【０１２３】
また、前記「初期状態」においては、前記室外操作部３ａ上の全ての表示は、前記主電源灯３８ａ及び前記警告灯３７ａ以外、無表示となるようにしている。すなわち、前記プログラムモード設定部３１ａにおける前記モード選択表示灯３１１ｂ、前記タイマー設定部３２ａの前記時間表示部３２１ａ、前記マニュアルモード設定部３３ａにおける前記酸素選択表示灯３３１ｂ、前記ミスト選択表示灯３３２ｂ、前記色光選択表示灯３３３ｂ、前記芳香選択表示灯３３４ｂ、前記ヒータ選択表示灯３３５ｂ、前記サウナ選択表示灯３３６ｂ、またその他の前記予熱作動表示灯３５１ａ、前記換気作動表示灯３６１ａが、「初期状態」において無表示または無点灯状態となる。
【０１２４】
本発明のサウナ装置１ａにおけるその他の機能として、前記面状ヒータ２１ａの累積使用時間を、前記タイマー設定部３２ａの前記時間表示部３２１ａから読み取る事ができるようにしている。これによりサウナ装置１ａの使用状況を確認して、面状ヒータ２１ａやその他構成部分のメンテナンスに活かす事ができる。
【０１２５】
前記面状ヒータ２１ａの累積使用時間の表示の仕方については、前記マニュアルモード設定部３３ａにある「前面」の前記ヒータ選択ボタン３３５ａと、前記サウナ選択ボタン３３６ａを同時に長押しする事により、前記時間表示部３２１ａに該累積使用時間が表示されるようにする事ができる。
【０１２６】
以上、本発明のサウナ装置１ａの構成について詳細に説明したが、サウナ装置１ａの動作すべては、前記制御手段６ａにより制御する。
【図面の簡単な説明】
【０１２７】
【図１】本発明のサウナ装置の一実施形態を示す斜視説明図である。
【図２】本発明のサウナ装置である収納部及び収納開閉扉の一実施形態を示す平面説明図である。
【図３】本発明のサウナ装置である室内操作部の一実施形態を示す正面図である。
【図４】本発明のサウナ装置である室外操作部の一実施形態を示す説明図である。
【図５】本発明のサウナ装置である室外操作部の一実施形態を示す説明図である。
【図６】本発明のサウナ装置である室外操作部の一実施形態を示す説明図である。
【図７】本発明のサウナ装置におけるプログラムモードの一実施形態を示す表図である。
【図８】本発明のサウナ装置における操作の一実施形態を示す流れ図である。
【図９】本発明のサウナ装置における操作の一実施形態を示す流れ図である。
【図１０】本発明のサウナ装置における操作の一実施形態を示す流れ図である。
【図１１】本発明のサウナ装置における操作の一実施形態を示す流れ図である。
【図１２】本発明のサウナ装置に使用するプログラム作成表の一実施形態を示す説明図である。
【図１３】従来技術を示す参考図である。
【図１４】従来技術を示す参考図である。
【符号の説明】
【０１２８】
１ａ  サウナ装置
１１ａ  入室扉
１２ａ  着座部
１３ａ  正面壁
１４ａ  背面壁
１５ａ  側面壁
１６ａ  床面
１７ａ  天面
１８ａ  収納部
１８１ａ  収納開閉扉
２ａ  室内
２１ａ  面状ヒータ（温熱機構）
２２ａ  酸素発生機構
２２１ａ  ノズル
２３ａ  ミスト発生機構
２３１ａ  ミスト噴出口
３３２ａ  ミストボタン
２４ａ  芳香発生機構
２４１ａ  芳香剤
２４２ａ  ファン
２５ａ  換気ファン
２６ａ  ヒーリングライト（色光発生機構）
２７ａ  室内灯
３ａ  室外操作部
３１ａ  プログラムモード設定部
３１１ａ  プログラム選択ボタン
３１２ａ  プログラムモード開始終了ボタン
３１１ｂ  モード選択表示灯
３２ａ  タイマー設定部
３２１ａ  時間表示部
３２２ａ  時間調節ボタン
３２３ａ  設定ボタン
３３ａ  マニュアルモード設定部
３３１ａ  酸素ボタン
３３１ｂ  酸素選択表示灯
３３２ａ  ミストボタン
３３２ｂ  ミスト選択表示灯
３３３ａ  色光選択ボタン
３３３ｂ  色光選択表示灯
３３４ａ  芳香選択ボタン
３３４ｂ  芳香選択表示灯
３３５ａ  ヒータ選択ボタン
３３５ｂ  ヒータ選択表示灯
３３６ａ  サウナ選択ボタン
３３６ｂ  サウナ選択表示灯
３３７ａ  マニュアルモード開始終了ボタン
３４ａ  クリアボタン
３５ａ  準備予熱ボタン
３５１ａ  予熱作動表示灯
３６ａ  換気ボタン
３６１ａ  換気作動表示灯
３７ａ  警告灯
３８ａ  主電源灯
３９ａ  音発生部
４ａ  室内操作部
４１ａ  表示部
４２ａ  室内灯ボタン
４３ａ  温度センサ
４４ａ  音発生部
５ａ  主電源入切部
６ａ  制御手段
７ａ  プログラムシート
７１ａ  升目
【図１】
2007222299.tif 000003
【図２】
2007222299.tif 000004
【図３】
2007222299.tif 000005
【図４】
2007222299.tif 000006
【図５】
2007222299.tif 000007
【図６】
2007222299.tif 000008
【図７】
2007222299.tif 000009
【図８】
2007222299.tif 000010
【図９】
2007222299.tif 000011
【図１０】
2007222299.tif 000012
【図１１】
2007222299.tif 000013
【図１２】
2007222299.tif 000014
【図１３】
2007222299.tif 000015
【図１４】
2007222299.tif 000016